(57)【要約】      （修正有）【課題】躯体（下地材）に対する開口枠の取付強度を確保しながら、リフォームの際などに開口枠を取り外すときに、接着剤自体が内部で剥離し枠材や躯体の表面部分を剥離させず、下地面を補修する必要がなく、開口枠の取り外し作業を容易に行うことができる開口枠の取付構造を提供する。【解決手段】開口枠を形成する縦枠４および上枠が接着剤１０で躯体３に固定され、接着剤１０は縦枠４の剥離強度および躯体３の剥離強度より小さい剥離強度を有し、開口枠を取り外すときに接着剤１０自体が内部で剥離して縦枠４や躯体３の表面部分を剥離させない構成とした。【選択図】図２
2014105562.tif 000002
【特許請求の範囲】
【請求項１】
建具の開口枠が躯体に取り付けられてなる開口枠の取付構造であって、開口枠を形成する枠材が剥離可能な接着手段で躯体に固定されることを特徴とする開口枠の取付構造。
【請求項２】
前記接着手段が、枠材の剥離強度および躯体の剥離強度より小さい剥離強度を有する接着剤である、請求項１記載の開口枠の取付構造。
【発明の詳細な説明】
【技術分野】
【０００１】
本発明は、引戸やドアなどの建具の開口枠が建物の躯体（下地材）に取り付けられてなる開口枠の取付構造に関する。
【背景技術】
【０００２】
現在、開口枠の枠材は、木ネジなどの固定具や木工用接着剤を用いて躯体（下地材）に固定されている。たとえば、特許文献１には、ドア枠を木ネジなどの固定具で開口部の下地材に固定する取付構造（段落０００２，図７）と、ドア枠と下地材との間にスペーサを介在させた状態にして該スペーサの周囲に発泡性ポリウレタン接着剤などの発泡性接着剤を塗布することによりドア枠を下地材に接着させる取付構造（段落０００９，００１９，図５）が記載されている。
【先行技術文献】
【特許文献】
【０００３】
【特許文献１】特開平８−１７７３２２号公報
【発明の概要】
【発明が解決しようとする課題】
【０００４】
木ネジなどの固定具を使用した前者の取付構造は、特許文献１にも記載されている（段落０００４，０００５）ように、ドア枠の表面に木ネジなどの固定具の頭部が露出して美観を損ね、これを防ぐためには露出した頭部を塗装するなどの作業が必要になって作業性を低下させ、また、木ネジなどの固定具の打ち込みを慎重に行わないとドア枠に撓みを生じさせてしまうなどの不利欠点がある。
【０００５】
特許文献１は、スペーサを介在させて発泡性接着剤でドア枠を下地材に固定する後者の取付構造を提案することによって上記前者の取付構造における不利欠点を解消させようとしている。しかしながら、この取付構造において好適に用いることができるとされている発泡性ポリウレタン接着剤は時間経過により非常に強固に硬化する。一般に木質材料同士の接着に汎用されている酢酸ビニル樹脂エマルジョン接着剤（いわゆる木工ボンド）なども同様である。このような接着剤を用いて開口枠を躯体に固定した取付構造では、接着剤が開口枠および躯体の内部に浸透した状態で硬化している。
【０００６】
このことは、開口枠が躯体に対して非常に強固に固定された取付構造が得られるという利点をもたらすが、反面、リフォームの際に開口枠を取り外そうとすると、硬化した接着剤と共に躯体の一部が剥離して躯体表面に凹みを生じさせたり、反対に枠材の一部が剥離して硬化接着剤と共に躯体表面に凸部となって残ることによって下地面が凹凸になる。この状態では新しい枠材を取り付ける際に傾きが生じたり正確な位置決めができなくなるため、新しい枠を取り付けるためには補修して下地面を平滑にしなければならない。しかしながら、下地面を平滑にするために硬化した接着剤や該接着剤に固着された木片を除去する作業は容易ではなく、リフォーム工事の作業性を大きく低下させる要因となっていた。
【０００７】
したがって、本発明が解決しようとする課題は、引戸やドアなどの建具の開口枠が建物の躯体（下地材）に取り付けられてなる開口枠の取付構造において、躯体に対する開口枠の取付強度を確保しながらも、リフォーム時などに開口枠を取り外す作業を容易に行うことができるようにすることである。
【課題を解決するための手段】
【０００８】
この課題を解決するため、請求項１に係る本発明は、建具の開口枠が躯体に取り付けられてなる開口枠の取付構造であって、開口枠を形成する枠材が剥離可能な接着手段で躯体に固定されることを特徴とする。
【０００９】
請求項２に係る本発明は、請求項１記載の開口枠の取付構造において、前記接着手段が、枠材の剥離強度および躯体の剥離強度より小さい剥離強度を有する接着剤であることを特徴とする。
【発明の効果】
【００１０】
請求項１に係る本発明によれば、開口枠を形成する枠材が剥離可能な接着手段で躯体に固定されるので、リフォームの際などに開口枠を取り外すときに、枠材や躯体の表面部分が剥離せず、下地面を補修する必要がない。したがって、開口枠の取替え作業を短時間で行うことができ、開口部が開口している状態を短時間に抑えることができる効果がある。
【００１１】
また、剥離可能な接着手段によって枠材が躯体に固定されるので、リフォームの際などに枠材を下地から容易に取り外すことができ、しかも、枠材を取り外した後の下地面に剥離後の接着手段が残ってもこれを容易に除去することができるので、開口枠の取替え作業を容易に行うことができる効果がある。
【００１２】
請求項２に係る本発明によれば、開口枠を形成する枠材が、枠材の剥離強度および躯体の剥離強度より小さい剥離強度を有する接着剤により躯体に固定されるので、リフォームの際などに開口枠を取り外したときに、枠材や躯体の表面部分を剥離させずに接着剤自体が剥離することになるので、下地面の補修ないし平滑化の作業をより容易に行うことができる効果がある。
【図面の簡単な説明】
【００１３】
【図１】本発明の一実施形態による開口枠の取付構造を示す正面図である。
【図２】図１に示す開口枠の取付構造の断面を示す図１中Ａ−Ａ断面図（ａ）およびこの取付構造から開口枠を取り替えるリフォーム作業を工程順にＡ−Ａ断面で示す図（ｂ）〜（ｆ）である。
【発明を実施するための形態】
【００１４】
図１および図２（ａ）は本発明の一実施形態による開口枠の取付構造を示し、引戸１，１を開閉自在に収容する開口枠２が躯体３に取り付けられてなる取付構造である。この実施形態では、開口枠２は左右縦枠４，４と上枠５とからなる三方枠として形成され、各縦枠４にはケーシングタイプのものが用いられ、縦枠本体６と一対のケーシング７，７とから構成される。すなわち、図２（ａ）に示されるように、縦枠本体６の両側面に長さ方向に延長するケーシング溝８，８が形成され、これらケーシング溝８，８に断面略Ｌ字形のケーシング７，７の嵌合部７ｂ，７ｂを挿入した状態にして、ケーシング７，７の本体部７ａ，７ａを間柱などの躯体（下地材）３の両側面に貼着した壁材９，９（およびその表面に貼着した壁紙、図示せず）に沿うようにケーシング７，７を配置して、接着剤１０（太線で示す）により縦枠４と躯体３、縦枠４とケーシング７，７および躯体３とケーシング７，７が接着固定される（図２（ａ））。上枠５も同様にケーシングを介して天井１１を構成する躯体３に接着剤１０で固定されている（図示省略）。
【００１５】
この取付構造において、開口枠２は、躯体３の両側に壁材９，９を貼着し且つそれらの表面に壁紙（図示せず）を貼着した後に取り付けられる。一例として、左右縦枠４，４と上枠５とをビス（図示せず）で固定して枠組みすることにより開口枠２を形成し、左右縦枠４，４の各外側面に接着剤１０を塗布して開口部の左右の壁（躯体３）に固定する。このとき、接着剤１０による接着固定に加えて、左右縦枠４，４にあらかじめ形成されたビス穴からビス（いずれも図示せず）を打ち込んで左右縦枠４，４をより強固に躯体３に固定しても良い。上枠５についても同様にして接着剤１０または接着剤１０とビスの併用によって天井１１の躯体３に固定する。左右縦枠４，４および上枠５と躯体３の間に一または複数のスペーサないし飼木（図示せず）を介在させて取り付けても良い。スペーサ（飼木）を用いる場合は枠材４，５より小さいものを使用し、また、複数のスペーサ（飼木）を用いる場合はそれらの合計面積が枠材４，５より小さくなるようにして使用して、該スペーサ（飼木）の表裏に接着剤１０を塗布した後、これを枠材４，５と躯体３の間に挟み、枠材からビスを打ち込んで枠材と共に躯体３に固定する。このようにして左右縦枠４，４および上枠５を躯体３に固定した後、ケーシング７，７の嵌合部７ｂ，７ｂおよび／またはケーシング溝８，８に接着剤１０を塗布し、嵌合部７ｂ，７ｂをケーシング溝８，８に嵌合させてケーシング７，７を縦枠４に固定すると共に、ケーシング本体部７ａ，７ａの内側面および／または壁紙の開口端近くの表面部分に接着剤１０を塗布して圧接することによりケーシング７，７を躯体３に固定する。ケーシング７，７はケーシング溝８，８内で壁厚方向に移動可能であるので、ある程度の壁厚範囲内において共用可能である。
【００１６】
ここで使用される接着剤１０は、枠材４，５の剥離強度および躯体４の剥離強度より小さい剥離強度を有するものであり、代表的なものとしては、ウレタン樹脂系接着剤、シリル化ウレタン樹脂（ＳＵＰ）系接着剤、変性シリコーン系接着剤、スチレン−ブタジエンゴム系樹脂（ＳＢＲ）、スチレン−ブタジエン−スチレン共重合樹脂（ＳＢＳ）、スチレン−エチレン−ブチレン−スチレン共重合樹脂（ＳＥＢＳ）、エチレン−酢酸ビニル共重合樹脂（ＥＶＡ）、ポリエステル樹脂、アクリル樹脂、ポリアミド樹脂、湿気硬化型ウレタン樹脂、２液硬化型ウレタン樹脂などの溶剤溶液、水性エマルジョン、ラテックス、ホットメルト型の接着剤などを使用することができる。また、シリコーン系接着剤にウレタン系接着剤やエポキシ系接着剤、アクリル系接着剤などを配合したものも使用可能である。
【００１７】
これらの中でも、特にウレタン樹脂系接着剤またはシリル化ウレタン樹脂（ＳＵＰ）系接着剤を用いることが好ましく、さらにこれらに充填剤を多量に配合して用いることがより好ましい。充填剤としては、炭酸マグネシウム、フュームドシリカ、クレー、タルク、シリカ、各種バルーンなどの無機系充填剤を用いることが好ましい。充填剤が配合されることにより、接着剤の強度および伸び率が小さくなり、粘着性が低下するので、接着剤の剥離強度を枠材の剥離強度および躯体の剥離強度より小さいものとするための調整が容易となり、また、接着剤の増量効果も同時に得られる。このような充填剤を多く配合したウレタン樹脂系またはシリル化ウレタン樹脂系接着剤としては、株式会社ノダ製「ノダフロア接着剤ＦＰ−Ｂ０７」や株式会社コニシ製「ＳＵ−１１０」などの市販品を使用することができる。
【００１８】
このようにして取り付けられた開口枠２をリフォームの際などに取り外す作業工程について図２（ｂ）〜（ｆ）を参照して説明する。まず、バールなどの工具を使用して、ケーシング７，７を躯体３および縦枠本体６から取り外す（図２（ｂ））。前述のように、ケーシング７，７は剥離可能な接着剤１０で躯体３および縦枠本体６に固定されており、その剥離強度は躯体３および縦枠本体６の剥離強度より小さいので、ケーシング７，７をこれらから取り外すと接着剤１０の内部で剥離する。したがって、ケーシング７，７と躯体３とを固定する接着剤１０については、その一方の剥離片１０ａ，１０ａはケーシング本体部７ａ，７ａの内側面に付着してケーシング７，７と共に取り外され、他方の剥離片１０ｂ，１０ｂは壁紙表面に付着して躯体３側に残る、また、ケーシング７，７と縦枠本体６とを固定する接着剤１０については、その一方の剥離片１０ｃ，１０ｃはケーシング嵌合部７ｂ，７ｂの先端面および側面に付着してケーシング７，７と共に取り外され、他方の剥離片１０ｄ，１０ｄは縦枠本体６のケーシング溝８，８の溝内面に付着して縦枠本体６側に残る。上枠５についても同様にしてケーシングを躯体３および上枠５から取り外すことにより、同様に硬化した接着剤１０が内部で剥離し、その一方の剥離片がケーシングと共に取り外され、他方の剥離片が躯体３側および上枠５（の本体）側に残される。
【００１９】
次に、左右縦枠４，４（縦枠本体６，６）の固定に際してビスを併用した場合は該ビスを取り外し、左右縦枠４，４と上枠５とを固定しているビスを取り外した後、バールなどの工具を使用して、縦枠本体６を躯体３から取り外す（図２（ｃ））。前述のように、縦枠本体６は剥離可能な接着剤１０で躯体３に固定されており、その剥離強度は躯体３および縦枠本体６の剥離強度より小さいので、縦枠本体６を躯体３から取り外すと接着剤１０の内部で剥離する。したがって、縦枠本体６を躯体３から取り外すと、縦枠本体６を躯体３に固定していた接着剤１０の一方の剥離片１０ｅは縦枠本体６の内側面に付着して縦枠本体６と共に取り外され、他方の剥離片１０ｆは躯体３の内側面に付着して躯体３側に残る。上枠５も同様にして躯体３から取り外すことにより、同様に硬化した接着剤１０が内部で剥離し、その一方の剥離片が上枠５（の本体）と共に取り外され、他方の剥離片が躯体３側に残される。
【００２０】
以上のようにして左右縦枠４，４および上枠５についてケーシングおよび枠材を躯体３から取り外すと、硬化した接着剤１０が内部剥離してその一方の剥離片は取り外したケーシングまたは枠材と共に取り外されるが、他方の剥離片は躯体３側に残ることになるので、躯体３の内側面に残された剥離片（左右縦枠４，４については剥離片１０ｆ）および躯体３両側の壁紙上に残された剥離片（左右縦枠については剥離片１０ｂ，１０ｂ）を、先端薄板状の工具（へら）１１を使用して除去して、これらの表面を平滑にする（図２（ｄ），（ｅ））。壁紙上に残された剥離片を除去したときに壁紙が損傷したり剥がれたりした場合は、必要に応じて補修ないし再貼着する。
【００２１】
このようにして平滑な表面が得られた躯体３に、新しい枠材（縦枠１２）を固定する（図２（ｆ））。この実施形態ではリフォームによって固定枠１２が躯体３に取り付けられているが、リフォーム前に取り付けられていたようなケーシングタイプの枠材を新たに取り付けることももちろん可能である。また、このときに使用する接着剤１３を、既述したような剥離可能な接着剤とすれば、再度リフォームする際にも枠材の取替え作業を容易に行うことができる。
【００２２】
以上に本発明の一実施例について詳述したが、本発明はこれらに限定されず、特許請求の範囲に記載された発明の範囲内において種々多様な態様を取り得る。たとえば、既述実施形態では、躯体３の両側に壁材９，９および壁紙を貼着した後に開口枠２を取り付けるものとして説明したが、壁材９，９を貼着した後に開口枠２を取り付け、その後に壁紙を貼着する工程順としても良い。また、既述実施形態の開口枠２は左右縦枠４，４と上枠５とからなる三方枠として示されているが、本発明は、さらに床１４上に取り付けられる下枠を有する四方枠の開口枠であっても適用可能である。開口枠は、ケーシング枠であっても固定枠であっても良い。
【００２３】
また、既述実施形態では、開口枠を形成する枠材を躯体に固定するために剥離可能な接着剤を用いているが、一旦躯体に固定された枠材をリフォームの際などに取り外そうとしたときに内部で剥離し、枠材や躯体の表面部分を剥離させないものであれば接着剤に限定されない。たとえば、内部剥離可能な粘着剤を両面に塗布した接着シートを用いることができる。このような接着シートで躯体に固定された枠材をリフォームの際などに取り外すと、表裏いずれかの粘着剤層が内部で剥離して、その一方の剥離片は取り外した枠材に付着して該枠材と共に取り外され、他方の剥離片のみが躯体側に残ることになるが、既述実施形態において説明したと同様にしてへらなどで容易に除去することができる。内部剥離可能な粘着剤としては、アクリル系粘着剤、ゴム系粘着剤、ウレタン系粘着剤、シリコーン系粘着剤などであって、枠材の剥離強度および躯体の剥離強度より小さい剥離強度を有するものを選択して使用することができる。また、シート自体が枠材の剥離強度および躯体の剥離強度より小さい剥離強度を有するものを用い、その両面に粘着剤（内部剥離可能であっても内部剥離しないものであっても良い）を塗布して形成した接着シートを用いて、開口枠を形成する枠材を躯体に固定した場合も、枠材を取り外したときに接着シート自体が剥離することになるので、既述実施形態と同様の作用効果を得ることができ、このような実施形態も本発明の範囲内である。
【符号の説明】
【００２４】
１  引戸
２  開口枠
３  躯体（下地材）
４  左右縦枠
５  上枠
６  縦枠本体
７  ケーシング
７ａ  本体部
７ｂ  嵌合部
８  ケーシング溝
９  壁材
１０  剥離可能な接着剤
１０ａ〜１０ｆ  剥離片
１１  工具
１２  新しい縦枠（固定枠）
１３  接着剤
１４  床
【図１】
2014105562.tif 000003
【図２】
2014105562.tif 000004